(57)【要約】  本発明は、互いに緊密に結合され、第１の面および第２の面を有する成形された厚紙パネルによって構成されている２つ以上の厚紙の層を備える１つまたは複数の略平坦な要素と、２つ以上の長尺部材の周りに巻かれているパネルの包囲部分を備えて、パネルが前記部材に緊密に結合するようにする、少なくとも２つのコア包囲要素とを備えるユニットの中で平坦な要素およびコア包囲要素が互いに一体である、厚紙をベースとするユニットを提供する。
2016520016.tif 000002
【特許請求の範囲】
【請求項１】
厚紙をベースとするユニットであって、
互いに緊密に結合され、第１の面および第２の面を有する成形された厚紙パネルによって構成されている２つ以上の厚紙の層を備える１つまたは複数の略平坦な要素と、
２つ以上の長尺部材の周りに巻かれているパネルの包囲部分を備えて、前記パネルが前記部材に緊密に結合するようにする、少なくとも２つのコア包囲要素と
を備え、
前記ユニットの中で前記平坦な要素および前記コア包囲要素が互いに一体である、厚紙をベースとするユニット。
【請求項２】
前記平坦な要素の中の前記厚紙の層が、前記平坦な要素の部分で互いに付着されている、請求項１に記載のユニット。
【請求項３】
前記長尺部材が、丸みを帯びた断面を有する、請求項１または２に記載のユニット。
【請求項４】
前記長尺部材が、円形断面を有する、請求項３に記載のユニット。
【請求項５】
前記長尺部材が、木材、厚紙またはプラスチックからできている、請求項１から４のいずれか一項に記載のユニット。
【請求項６】
前記厚紙パネルが、（ｉ）少なくとも１つの低密度層と、（ｉｉ）前記少なくとも１つの低密度層の少なくとも１つの側面を裏打ちする１つまたは複数のライナ厚紙シートとを備える、請求項１から５のいずれか一項に記載のユニット。
【請求項７】
前記少なくとも１つの低密度層が、紙、重質紙、波形厚紙、ハニカム厚紙、または複数のセルまたは空所を画定するように配置された厚紙を備える、請求項６に記載のユニット。
【請求項８】
前記長尺コア包囲要素が、前記厚紙ユニットに向上した剛性および曲げ耐性を与える、請求項１から７のいずれか一項に記載のユニット。
【請求項９】
前記長尺コア包囲要素が、前記長尺コア包囲要素の縁部を画定する、請求項１から８のいずれか一項に記載のユニット。
【請求項１０】
前記縁部が、丸みを帯びた外部断面形状を有する、請求項９に記載のユニット。
【請求項１１】
２つの互いに平行な前記長尺コア包囲要素を備える、請求項１から１０のいずれか一項に記載のユニット。
【請求項１２】
前記２つの平行な長尺コア包囲要素が、その間に延在する略平坦な構造要素の縁部を画定する、請求項１１に記載のユニット。
【請求項１３】
前記長尺部材が、前記パネルの中央セグメントと、前記中央セグメントの対向する側部に隣接する第１の側方セグメントおよび第２の側方セグメントとの間をそれぞれ分離する、請求項１から１２のいずれか一項に記載のユニット。
【請求項１４】
前記第１の側方セグメントの前記第１の面の１つまたは複数の部分が、前記中央セグメントの前記第１の面の１つまたは複数の部分に付着されている、請求項１３に記載のユニット。
【請求項１５】
前記第１の側方セグメントの前記第１の面の１つまたは複数の部分、および前記第２の側方セグメントの前記第１の面の１つまたは複数の部分が、前記中央セグメントの前記第１の面の対応する部分に付着されている、請求項１３または１４に記載のユニット。
【請求項１６】
前記長尺部材が、前記パネルの前記第１の面に結合されている、請求項１４または１５に記載のユニット。
【請求項１７】
前記パネルの対向する縁部が、前記側方セグメントの端部で互いに近接している、請求項１３から１６のいずれか一項に記載のユニット。
【請求項１８】
前記第１の側方セグメントの前記第１の面の１つまたは複数の部分が、前記中央セグメントの前記第１の面の対応する１つまたは複数の部分に付着されており、
前記第２の側方セグメントの前記第２の面の１つまたは複数の部分が、前記中央セグメントの前記第２の面の対応する１つまたは複数の部分に付着されている、請求項１３または１４に記載のユニット。
【請求項１９】
前記平行な長尺部材の一方が、前記パネルの前記第１の面に結合され、
前記平行な長尺部材の他方が、前記パネルの前記第２の面に結合されている、請求項１８に記載のユニット。
【請求項２０】
前記平坦な要素が、１つまたは複数の空所を備える、請求項１から１９のいずれか一項に記載のユニット。
【請求項２１】
前記平行な長尺コア包囲要素に垂直に配向されている１つまたは複数の一体型第２のコア包囲要素を備える、請求項１１から２０のいずれか一項に記載のユニット。
【請求項２２】
車輪付き装置の部品である、請求項１から２１いずれか一項に記載のユニット。
【請求項２３】
前記車輪付き装置が、二輪車または三輪車である、請求項２２に記載のユニット。
【請求項２４】
二輪車または三輪車の部品であり、
（ｉ）前輪および（ｉｉ）前記二輪車または三輪車の１つまたは複数の他の部品に取り付けるように構成されている１つの前記平坦な要素を備え、
前記平坦な要素と一体であり、前記二輪車または三輪車のハンドルバーとして構成されているコア包囲要素を備えることを特徴とする、請求項２０または２１に記載のユニット。
【発明の詳細な説明】
【技術分野】
【０００１】
本発明は、車輪付き装置（例えば、二輪車または三輪車）などの構造および装置の中で構造要素として使用され得る、実質的または全体的に厚紙でできているユニットに関する。
【背景技術】
【０００２】
国際公開第１１０６７７４２号は、人間の乗り手を運搬するために十分頑丈である人力陸上車両を開示する。車両は、パルプにして再利用可能で、細断して再利用可能である材料から構成される。
【先行技術文献】
【特許文献】
【０００３】
【特許文献１】国際公開第１１０６７７４２号
【発明の概要】
【課題を解決するための手段】
【０００４】
本発明は、主要な構成要素として厚紙から作製され、または厚紙を備える構造を提供する。これは、厚紙が、構造の全重量の典型的には少なくとも８０％、８５％、９０％を構成し、時には少なくとも９５％でさえも構成することを意味する。構造は、以下に説明するように、例えば、厚紙の円柱、棒などであることができる厚紙から作製可能であり、あるいは木材またはプラスチックなどの他の軽量材料から作製可能である補強長尺部材を備える。長尺部材は、前記部材の長さ全体または少なくとも主要部分全体で、前記長尺部材に緊密に結合されるように形成される厚紙パネルの部分によって全体的または部分的に包囲される（または巻かれる）。厚紙パネルのいくつかの他の部分は、互いに結合されて、多層厚紙要素を画定する。前記長尺部材は、厚紙パネルの結合された部分と共に一緒にコア包囲要素を形成する。コア包囲要素は、多層平坦要素に配置され、多層平坦要素の縁部を画定して、機能的要素として独自で作用することが可能であり、構造上の補強的重要性などを有することが可能である。本発明の特有の形態の１つは、以下に更に説明するように、少なくとも部分的に、および時には主として、前記長尺コア包囲要素によって与えられる全体的な剛性である。本発明の構造は、例えば二輪車または三輪車など、車輪付き装置のような装置の部分を構成することができる。
【０００５】
本発明は、互いに緊密に結合され、第１の面および第２の面を有し成形された厚紙パネルによって構成されている２つ以上の厚紙層をそれぞれ備える１つまたは複数の略平坦な要素を備える厚紙をベースとするユニットを提供する。ユニットは、２つ以上の長尺部材の周りに巻かれているパネルの包囲部分をそれぞれ備える少なくとも２つのコア包囲要素を更に備えて、パネルが前記部材に緊密に結合するようにする。これらの要素は、ユニットの中で互いに一体となっている。
【０００６】
一般に、「長尺」という用語は、その要素が、その要素の他の寸法よりもより顕著な長さ寸法を有することを意味する。そのような要素は、「厚紙を備える構造的要素」と題し、２つの米国特許仮出願第６１／７１５，３５９号明細書および第６１／７８７，２２９号明細書から優先権を主張する、同時に出願され、本願の権利者が所有するＰＣＴ出願（以後、「構造要素ＰＣＴ出願」）の中に開示されている細長い要素の構造を一般に有することができる。長尺部材（それらの文献には「矩形副構造」と呼ばれる）を有するパネル部分の一方または両方が、構造の他の部品を形成するパネル部分と一体である。
【０００７】
「厚紙パネル」という用語は、その長さおよび幅と比較すると実質的に薄い広い表面を有する平坦な、または略平坦な厚紙片を意味する。厚紙パネルは、均一の厚紙片であることができるが、例えば、一体に接着剤で付けられ、またはそうではなく粘着された２つ以上の平坦な厚紙片から作製されて、ユニットの異なる要素に形成される、より大きい厚紙パネルを形成することも更に可能である。
【０００８】
「成形された」という用語（または言語学上のその任意の変化）は、厚紙パネルに成形または形状を与える、すなわちパネルをユニット内の最終的な意図される形状に形成するという行為を示すことを意味する。そのような形成ステップには、例えば、長尺部材上方のパネルの部分を包んで、それによってそのように形成された長尺要素のコア包囲構造を得るステップが含まれる。そのような形成ステップは、いくつかの実施形態では、前記平坦な要素の中に空所を画定するステップも更に含むことができる。
【０００９】
「一体の」という用語は、異なる要素を形成する際に使用されるパネル部分が、単一の、形成されたパネルのすべての部分であるということを意味する。したがって、例えば、長尺部材に沿って画定された頂点から延在するパネルの２つのスカートを画定する、長尺部材を包囲しているパネル部分の場合、パネルのスカート部分の少なくとも一方または両方が、ユニットの１つまたは複数の他方の要素を画定するパネルの他方の部分の中に延在する。
【００１０】
１つまたは複数の厚紙ユニットの要素が、互いに緊密に結合され（例えば、接着剤または他の粘着手段によって互いに付着されている）、第１の面および第２の面を有する成形された厚紙パネルによって構成されている２つ以上の厚紙の層の部分を備える。注記するように、パネルの部分は、２つ以上の長尺部材の周りに巻かれており、パネルが前記部材に緊密に結合するようになって、それによって長尺コア包囲要素を画定する。長尺部材と包囲する厚紙パネルとの間の結合によって形成される、長尺コア包囲要素は、そのような長尺コア包囲要素を含まない同様の厚紙構造の剛性および曲げ耐性と比較して、厚紙構造に向上した剛性および曲げ抵抗を与えることができる。前記長尺コア包囲要素は、平坦な多層（例えば、２層）厚紙ユニットの縁部を画定することができる。典型的には、２つのそのようなコア包囲要素が、その間に延在する略平坦な要素の縁部を画定する。
【００１１】
長尺部材（上記に注記するように、厚紙、木材またはプラスチックから作製され得る）は、典型的には丸みを帯びた形状、例えば円形断面（長円形、楕円形などであってよい）を含み、したがって、前記長尺コア包囲要素は典型的には丸みを帯びているが、しかし、適切なダイを使用して、例えば矩形外部横断面形状を有する他の形状に成形されることができる。
【００１２】
本発明は、ＰＣＴ出願の構造要素の特徴、ならびに「厚紙をベースとする構造」と題し、その関連する内容を本明細書に参照によって組み込む米国特許仮出願第６１／７８７，２９２号明細書から優先権を主張する、別の同時に出願され、本願の権利者が所有するＰＣＴ出願の構造要素の特徴と共通のいくつかの特徴を実施する。
【００１３】
本発明の厚紙をベースとするユニットは、前記長尺コア包囲要素に垂直な３点または４点曲げ強度を含み、その曲げ強度は、そのような長尺コア包囲要素がない２層厚紙構造の強度よりも著しく大きい。「著しく大きい」という用語は、その強度が、長尺部材がない、補強部材または規則的２層厚紙構造のいずれの強度よりも少なくとも２倍、５倍、時には少なくとも１０倍大きいということを意味する。この曲げ耐性に関するいくつかの説明、およびパラメータをＰＣＴ出願の構造要素の中に見られ、その内容は上記に注記するように、その関連する部分について参照によって本明細書に組み込まれる。
【００１４】
厚紙パネルは、例えば、その間に複数の空所を画定する波形の、縦溝付き、またはそうではなくゆるく詰まった紙シートまたはストリップによって形成される複数のセルまたは空所を画定するように配置されている紙、重質紙または厚紙（参照を容易にするために、「紙」という用語が、集合的に紙、重質紙または厚紙を呼ぶために以後使用される）でできている（ｉ）少なくとも１つの低密度層を備え、（ｉｉ）低密度層の一方の側面または両方の側面で裏打ちされた１つまたは複数のライナ厚紙シート（すなわち、低密度層をライナの間に挟む）を備える種類の厚紙から成ることができる。そのような厚紙パネルの実施例は、「波形厚紙」として公知であり、縦溝付または波形の紙パネル、またはストリップ、および縦溝付または波形の紙の一方の側面または両方の側面（すなわち挟んでいる）の１つまたは２つの平坦なライナボードから成り、「ハニカム厚紙」と呼ぶこともできる。そのような材料は、箱および出荷用梱包の製造で広く使用されている。波形またはハニカム厚紙パネルは、単層または多層厚紙パネルであることができる。これらの用語は、単一の厚い紙パネルの簡単な配置から複数の波形またはハニカムおよび他の層を特徴とする複雑な構成までの範囲に亘る様々な強度の重質厚紙を包含することを更に意味する。
【００１５】
一実施形態によれば、厚紙をベースとするユニットは、対応する平行な長尺部材によって形成される、２つの第１の互いに平行である長尺コア包囲要素を備える。そのような第１の長尺コア包囲要素は、その間に延在する第１の略平坦な要素の縁部を画定する。第１の長尺コア包囲要素は、対応する第１の平行な長尺部材に結合されている。前記第１の長尺部材は、元の厚紙パネルの中央セグメントと、中央セグメントに隣接する第１の側方セグメントおよび第２の側方セグメントの一方との間をそれぞれ分離することが可能であり、以前はパネルの部分であった２つのセグメントが、長尺部材の上方に巻かれて、一体に２層の要素を形成する。
【００１６】
一実施形態によれば、第１の側方セグメントの第１の面の１つまたは複数の部分が、中央セグメントの第１の面の１つまたは複数の部分に（形成された構造の反対側）付着されている。別の実施例では、第１の側方セグメントの第１の面の１つまたは複数の部分、および２つの第２の側方セグメントの第１の面の１つまたは複数の部分が、両方とも中央セグメントの第１の面の対応する部分に付着されている。
【００１７】
上記の段落に定義される実施形態による少なくとも２つの平行な長尺部材が、パネルの第１の面に結合される。側方セグメントの端部の縁部である、元のパネルの反対側の縁部が互いに近接するように、典型的に構造は形成される。このようにして、閉ループ構造がパネルによって形成され、第１の長尺コア包囲要素が、そのようなループの先端を画定する。
【００１８】
別の実施例では、閉ループ構造を形成するのではなく、厚紙は、反対側に配向された折り重ねによって「Ｓ」字形に概ね類似する形態に折り重ねられる。そのような構成では、第１の側方セグメントの第１の面の１つまたは複数の部分が、中央セグメントの第１の面の対応する１つまたは複数の部分に付着されており、一方、中央セグメントの第２の面の対応する１つまたは複数の部分が、第２の側方セグメントの第２の面の対応する１つまたは複数の部分に付着されている。この構成では、第１の平行な長尺コア包囲要素内の長尺部材が、一方はパネルの第１の面に結合され、他方はパネルの第２の面に結合される。
【００１９】
一実施形態によれば、そのような平坦な厚紙片は、表面全体の上に完全な厚紙多層構造を含む形態で略矩形である。別の実施形態では、例えば、多層厚紙要素からの切り抜きによって、または元の厚紙パネルを適切に形成することによって、この平坦な厚紙要素の中に１つまたは複数の空所が画定され、それが装飾的または機能的な重要性を有することができる。
【００２０】
一実施形態では、厚紙をベースとするユニットが、１つまたは複数の一体の第２の長尺コア包囲要素（前記第１の長尺コア包囲要素に垂直に配向されている、長尺部材の周りに包まれる厚紙パネルの部分によって形成される）を備える。
【００２１】
いくつかの実施形態では、厚紙をベースとするユニットは、二輪車または三輪車などの車輪付き装置の部品である。そのような実施形態のユニットは、（ｉ）前輪および（ｉｉ）二輪車または三輪車の１つまたは複数の他の部品に取り付けるように構成されている、平行な第１の長尺要素の間に形成される１つの平坦な要素を備えることができ、第１の要素に垂直であり、平坦な要素と一体であり、二輪車または三輪車のハンドルバーとして構成されている第２の長尺要素を備える。平坦な片は、典型的には、（ｉ）前輪および（ｉｉ）二輪車または三輪車の１つまたは複数の他の部品に結合する機能を有する空所と共に構成される。
【００２２】
本明細書に開示される主題をよりよく理解するために、およびその主題が実際に実施される方法を例示するために、次に実施形態が、添付の図面を参照して非限定的な実施例だけによって説明される。
【図面の簡単な説明】
【００２３】
【図１Ａ】本発明の実施形態による厚紙をベースとするユニットの製造方法の概略図である。
【図１Ｂ】本発明の実施形態による厚紙をベースとするユニットの概略斜視図である。
【図１Ｃ】本発明の実施形態による厚紙をベースとするユニットの上面図である。
【図２Ａ】本発明の別の実施形態による厚紙をベースとするユニットの製造方法の概略図である。
【図２Ｂ】本発明の別の実施形態による厚紙をベースとするユニットの概略斜視図である。
【図２Ｃ】本発明の別の実施形態による厚紙をベースとするユニットの上面図である。
【図３Ａ】本発明の別の実施形態による厚紙をベースとするユニットの製造方法の概略図である。
【図３Ｂ】本発明の別の実施形態による厚紙をベースとするユニットの図である。
【図３Ｃ】図３Ｂのユニットの側面図である。
【図４】全体的な形状が図３Ｂに類似し、いくつかの機能的切り抜きを含む、本発明の別の実施形態による厚紙をベースとするユニットの正面図である。
【図５Ａ】本発明の別の実施形態による厚紙をベースとするユニットの形成前に、切り抜かれるためにマークされたセグメントを含む厚紙パネルの正面図である。
【図５Ｂ】セグメントが切り抜かれた、長尺部材の配置後の図５Ａのパネルの図である。
【図５Ｃ】図５Ｂのパネルから形成された厚紙をベースとするユニットの正面図である。
【発明を実施するための形態】
【００２４】
次いで、本発明を添付の図面の中で概略的に示される複数の実施形態を参照して以下に説明する。以下の説明では、図１（すなわち図１Ａ、図１Ｂおよび図１Ｃ）は一実施形態に関連し、図２、図３、図４および図５はそれぞれ、異なる実施形態に関連する。これらの実施形態の異なる構成要素は、それぞれ３桁の数字によって示されており、最初の桁は、それらが現れる図面によって与えられ（例えば、図１ではすべての符号が「１」で始まり、一方、図２では符号「２」で始まる）、一方で後の２桁は、構成要素に特定のものである。異なる図面の中で同じ構成要素は、同じ後の２桁を有する３桁の符号によって示されている。例として、図１Ａおよび図１Ｂの中の構成要素１０２は、図２Ａおよび図２Ｂの中の構成要素２０２と同じ（同様の機能を有する）である。そのような構成要素は、そのたびごとに説明しないが、読み手は他の実施形態の対応する構成要素の説明を考察するよう注意を向けられたい。
【００２５】
図示の目的のために、いくつかの寸法は比率通りに描かれていないことに留意されたい。実施例として、いくつかの図面の中で、厚紙パネルが示されており、その厚紙パネルから厚紙をベースとするユニットが作製される。パネルは、本発明に従って使用される実際のパネルの少なくとも何らかの厚さの比率通りではない厚さを有するように図示されている。比率通りはない厚さは、図示の目的のためだけであり、仮に比率通りに図示されていれば、図面の中で見ることがより困難になっていた可能性がある。
【００２６】
最初に図１Ａを参照すると、図１Ａは、対向する縁部１１０、１１２から等距離で、パネル１００の第１の面１４０上の対応する平行な線１０６、１０８（線１０６、１０８は実際のパネルの中には存在しない想像上の線である）上に配置されている２つの長尺部材１０２、１０４に結合されている厚紙パネル１００を示している。互いに平行である長尺部材１０２、１０４は、それぞれパネルの各側方部分１１４と中央部分１１８との間、および側方部分１１６と中央部分１１８との間を分離する。
【００２７】
本発明の実施形態による厚紙をベースとするユニットを形成するために、パネル１００は、矢印１０６Ａ、１０８Ａによって示されるように線１０６、１０８に沿って折り畳まれて、線１０６、１０８に沿って隣接する部分１２０、１２２が、長尺部材１０２、１０４の周りを巻き、緊密に包囲し、図１Ｂ、図１Ｃの中で見られるように、最終的に形成されたユニットの中で部分１１４、１１６が、例えば接着剤の使用によって、それらの第１の面で部分１１８の第１の面に結合されるようになる。
【００２８】
図１Ｂおよび図１Ｃの中で示される形成されたユニットでは、２つの要素の間に延在する平坦な２層要素１３４を用いてユニットの縁部を画定する、２つの平行な長尺コア包囲要素１３０、１３２という２つの要素を確認することができる。更に、この実施形態では、パネル縁部１１０、１１２が、互いに近接する状態になっている。このようにして、形成された厚紙パネルは、２つの長尺部材の周りに閉ループ構成を画定する。
【００２９】
この実施形態の長尺部材１０２、１０４は、および以下に説明する長尺部材は、円形断面を有する。いくつかの実施形態では、それらは他の丸い断面、例えば、長円形、楕円形断面を有することができる。
【００３０】
長尺コア包囲要素１３０、１３２は、以下に説明する実施形態の他の長尺コア包囲要素と同様に、形成工程の結果である丸みを帯びた縁部を有する。しかし、適切なダイまたは鋳型の使用によって、縁部はプレス成形されて、例えば矩形など、他の形態を有することができる。厚紙パネルは、一実施形態によれば、波形またはハニカム厚紙パネルであることができる。しかし、本発明は、この種の厚紙パネルに限定されるのではない。
【００３１】
次いで、図２Ａから図２Ｃを参照すると、図２Ａから図２Ｃは、別の実施形態（図２Ｂおよび図２Ｃ）によるユニット、およびそのようなユニットを形成する方法（図２Ａ）を図示する。図１Ａから図１Ｃの実施形態から明らかなように、図２Ａから図２Ｃの実施形態によれば、厚紙パネルは、閉ループではなく、「Ｓ」字形に類似する形状に形成される。
【００３２】
図２Ａから図２Ｃの実施形態の説明では、説明を容易にするために、第１の面２４０および第２の反対側の面２４２と示されているパネルの２つの対向する面を参照することにする。
【００３３】
図２Ａの中で分かるように、長尺部材２０２は、第１の面２４０（縁部２１０に平行な線２０６に沿って配置されている）に結合され、長尺部材２０４（長尺部材２０２に平行な）は、第２の面２４２（縁部２１２に平行な線２０８に沿って配置されている）に結合されている。
【００３４】
図２Ａに図示するように、線２０６、２０８は、概ね同じ幅の３つの部分を画定し、２つの側方部分２１４、２１６、および中央部分２１８を含む。矢印２０６Ａによって示されている方向に線２０６に沿ってパネル２００を折り重ね、および矢印２０８Ａによって示されている反対方向に線２０８に沿ってパネル２００を折り重ねることによって、パネル２００が形成される。図２Ｂ、図２Ｃに見られる、最終的にそのようにして形成された厚紙をベースとするユニットが、全体に略平坦な３層要素２３４の対向する端部に２つの平行な長尺コア包囲要素２３０、２３２を有する。
【００３５】
図１Ａから図２Ｃの２つの実施形態では、上述のように、平行な長尺部材１０２、１０４および２０２、２０４（長尺コア包囲要素１３０、１３２および２３０、２３２に対応する）が、元の厚紙パネルの全長に延在し、したがって、形成された厚紙をベースとするユニットの全長に沿って延在する。しかし、実施形態の中には、そのような部材は、部分的な長さにだけ、典型的にはパネルの長さのほとんどに延在することができるものもある。別の実施形態によれば、前記長尺コア包囲要素の中に単一の長尺部材ではなく、同じ軸線に沿って配置される２つ以上の長尺部材を長尺要素の内部に備えることが可能である。言い換えれば、この場合、長尺部材は、そのすべてが同じ長さまたは異なる長さであることができる複数の個々のセグメントによって画定される。１つのセグメントの端部が別のセグメントの端部に隣接するように、またはそのようなセグメントが時には互いから離隔配置され得るように、そのようなセグメントは配置され得る。異なるセグメントは、同一または異なる材料から作製され得る。そのようなセグメントは典型的には同じ断面形状を有するが、時にはそれらは異なる断面形状を有することができる。
【００３６】
別の厚紙をベースとするユニットおよびそれが形成される方法が、図３Ａから図３Ｃの中に示されており、それは以前に説明した実施形態の設計よりもいくらか複雑な設計を有する。
【００３７】
次いで、図３Ａを参照すると、厚紙パネル３００および３つの長尺部材３０２、３０４、３５０を見ることができる。長尺部材３０２、３０４は、互いに対して、および縁部３１０、３１２に対して平行に、線３０６、３０８に沿って配置され、長尺部材３５０は、縁部３５８に平行に配置され、すなわち長尺部材３０２、３０４に対して垂直に配向されている。厚紙パネル３００は、各縁部３１０、３１２から各線３０６、３０８まで縁部３５８に平行に延在する線３０６Ｂ、３０８Ｂに沿って切断される。
【００３８】
線３０６、３０８と各切断部３０６Ｂ、３０８Ｂとの間に画定される側方部分３１４、３１６が、図１Ａに関して説明されるのと同様の方法で、矢印３０６Ａ、３０８Ａの方向に折り重ねられて、図３Ｂに示されるユニットの中に、その縁部で２つの平行な長尺コア包囲要素３３０、３３２の間に画定される２層の要素を備える垂直構造３７０を最終的に形成する。次いで、線３５２と縁部３５８との間に画定される厚紙パネルの頂部３５４が、線３５２に沿って矢印３５２Ａの方向に、長尺部材３５０の上方に折り重ねられて、横の長尺コア包囲要素３７２を形成する。図３Ｃに最もよく分かるように、要素３７２から下に延在する厚紙パネル部分は、構造３７０の中のパネルの中央部分と一体である。
【００３９】
次いで、図４を参照すると、図４は本発明の別の実施形態による厚紙をベースとするユニットを示し、図３Ｂおよび図３Ｃに示されるような全体的形状を有する。分かるように、図４は、図３Ｂのユニットを形成する後に切り抜くことができる２つの切り抜き空所４７６、４７８を有する点で、図３Ｂとは異なる。ユニットは、三輪車の正面要素として機能することができ、切り抜き４７８は三輪車の前輪を収容し、要素４７０の底部に埋設される車軸ホルダを通って車輪が受けられ（この図面には図示されないが、以下に更に詳しく説明される）、一方、切り抜き４７８は、要素４７０の中に埋設される、垂直な車軸受け口を経て三輪車の後部に接合されている（図示されないが、図５Ｂ、５Ｃの中で説明される）。
【００４０】
図４のユニットからの何らかの相違では、切り抜きがパネルの中に予め形成されることも可能である。これは図５に図示されている。図５Ａに見られる厚紙パネル５００は、全体的に矩形を有するが、斜線で描かれているいくつかの部分は切り抜かれて、図５Ｂに示す予め形成されたパネルを生成する。
【００４１】
図３Ａの場合と同様に、長尺部材５０２、５０４が、平行で、垂直な線５０６、５０８に沿って配置され、別の長尺部材５５０が、線５０６、５０８に垂直な線５５２に沿って配置されている。短い車軸受け口５８０、５８２が、底部端部５１８Ａ、５１８Ｂに近接して配置され、切り抜き５７８の２つの側部で画定されており、切り抜き５７８の２つの側部は、三輪車の前輪の車軸の各端部を受けるための典型的には中空のプラスチック製チューブセグメントである。２つの垂直なセグメント５８４、５８６が第１の面に更に配置され、セグメント５８４、５８６もまた中空のプラスチック製チューブであり、三輪車の主本体に接合するために機能することができる。次いで、予め形成されたパネルは、長尺部材の周りに矢印５０６Ａ、５０８Ａ、５５２Ａによって示す方向に折り重ねられ、次いで対向する厚紙の面を互いに接着した後、図５Ｃに示す厚紙をベースとするユニットが形成される。
【図１Ａ】
2016520016.tif 000003
【図１Ｂ】
2016520016.tif 000004
【図１Ｃ】
2016520016.tif 000005
【図２Ａ】
2016520016.tif 000006
【図２Ｂ】
2016520016.tif 000007
【図２Ｃ】
2016520016.tif 000008
【図３Ａ】
2016520016.tif 000009
【図３Ｂ】
2016520016.tif 000010
【図３Ｃ】
2016520016.tif 000011
【図４】
2016520016.tif 000012
【図５Ａ】
2016520016.tif 000013
【図５Ｂ】
2016520016.tif 000014
【図５Ｃ】
2016520016.tif 000015
【手続補正書】
【提出日】平成27年6月25日(2015.6.25)
【手続補正１】
【補正対象書類名】特許請求の範囲
【補正対象項目名】全文
【補正方法】変更
【補正の内容】
【特許請求の範囲】
【請求項１】
車輪付き装置の一部である厚紙をベースとする構造的なユニットであって、
１つまたは複数の略平坦な要素であって、該略平坦な要素の各々が、互いに緊密に結合され、第１の面および第２の面を有する成形された厚紙パネルによって構成されている２つ以上の厚紙の層を備える、前記略平坦な要素を備え、
前記ユニットは略平坦であり、
各平坦な要素が、該平坦な要素と一体となった２つの長尺コア包囲要素を備え、該２つの長尺コア包囲要素の各々は、（ｉ）前記ユニットの縁部を画定し、（ｉｉ）少なくとも１つの長尺部材の周りに巻かれているパネルの包囲部分を備えて、前記パネルの巻かれている部分が前記少なくとも１つの長尺部材に緊密に結合するようにされ、
前記長尺部材が、（ａ）前記パネルの中央セグメントと、（ｂ）前記中央セグメントの対向する側部に隣接する、前記パネルの第１および第２の側方セグメントとの間をそれぞれ分離し、
前記長尺コア包囲要素が、前記厚紙ユニットに向上した剛性および曲げ耐性を与える、前記厚紙をベースとするユニット。
【請求項２】
前記平坦な要素の中の前記厚紙の層が、前記平坦な要素の部分で互いに付着されている、請求項１に記載のユニット。
【請求項３】
前記長尺部材が、丸みを帯びた断面を有する、請求項１または２に記載のユニット。
【請求項４】
前記長尺部材が、円形断面を有する、請求項３に記載のユニット。
【請求項５】
前記長尺部材が、木材、厚紙またはプラスチックからできている、請求項１から４のいずれか一項に記載のユニット。
【請求項６】
前記厚紙パネルが、（ｉ）少なくとも１つの低密度層と、（ｉｉ）前記少なくとも１つの低密度層の少なくとも１つの側面を裏打ちする１つまたは複数のライナ厚紙シートとを備える、請求項１から５のいずれか一項に記載のユニット。
【請求項７】
前記少なくとも１つの低密度層が、紙、重質紙、波形厚紙、ハニカム厚紙、または複数のセルまたは空所を画定するように配置された厚紙を備える、請求項６に記載のユニット。
【請求項８】
前記縁部が、丸みを帯びた外部断面形状を有する、請求項１から７のいずれか一項に記載のユニット。
【請求項９】
２つの互いに平行な前記長尺コア包囲要素を備える、請求項１から８のいずれか一項に記載のユニット。
【請求項１０】
前記２つの平行な長尺コア包囲要素が、その間に延在する略平坦な構造要素の縁部を画定する、請求項９に記載のユニット。
【請求項１１】
前記第１の側方セグメントの前記第１の面の１つまたは複数の部分が、前記中央セグメントの前記第１の面の１つまたは複数の部分に付着されている、請求項１から１０のいずれか一項に記載のユニット。
【請求項１２】
前記第１の側方セグメントの前記第１の面の１つまたは複数の部分、および前記第２の側方セグメントの前記第１の面の１つまたは複数の部分が、前記中央セグメントの前記第１の面の対応する部分に付着されている、請求項１１に記載のユニット。
【請求項１３】
前記長尺部材が、前記パネルの前記第１の面に結合されている、請求項１１または１２に記載のユニット。
【請求項１４】
前記パネルの対向する縁部が、前記側方セグメントの端部で互いに近接している、請求項１から１３のいずれか一項に記載のユニット。
【請求項１５】
前記第１の側方セグメントの前記第１の面の１つまたは複数の部分が、前記中央セグメントの前記第１の面の対応する１つまたは複数の部分に付着されており、
前記第２の側方セグメントの前記第２の面の１つまたは複数の部分が、前記中央セグメントの前記第２の面の対応する１つまたは複数の部分に付着されている、請求項１１に記載のユニット。
【請求項１６】
前記平行な長尺部材の一方が、前記パネルの前記第１の面に結合され、
前記平行な長尺部材の他方が、前記パネルの前記第２の面に結合されている、請求項１５に記載のユニット。
【請求項１７】
前記平坦な要素が、１つまたは複数の空所を備える、請求項１から１６のいずれか一項に記載のユニット。
【請求項１８】
前記平行な長尺コア包囲要素に垂直に配向されている１つまたは複数の一体型第２のコア包囲要素を備える、請求項９から１７のいずれか一項に記載のユニット。
【請求項１９】
前記車輪付き装置が、二輪車または三輪車である、請求項１から１８のいずれか一項に記載のユニット。
【請求項２０】
二輪車または三輪車の部品であり、
（ｉ）前輪および（ｉｉ）前記二輪車または三輪車の１つまたは複数の他の部品に取り付けるように構成されている１つの前記平坦な要素を備え、
前記平坦な要素と一体であり、前記二輪車または三輪車のハンドルバーとして構成されているコア包囲要素を備えることを特徴とする、請求項１９に記載のユニット。
【国際調査報告】
2016520016.tif 000016
2016520016.tif 000017
2016520016.tif 000018